(57)【要約】【課題】外壁パネルの建方を行えば、同時に左右の隣り合う外壁パネル間部分を止水状態にすることができて、現場での施工を容易にすることができる外壁パネル間の縦目地部分の止水構造を提供する。【解決手段】隣り合う左右の外壁パネル１，１間部分において、その背後に建物躯体の柱２が備えられると共に、各外壁パネル１，１の側部の縦パネルフレーム４に上下方向に延びる止水兼用のスペーサー５が設けられ、該スペーサー５が縦パネルフレーム４と柱２との間に止水状態となるように挟み込まれてスペーサー５，５間に上下方向に延びる排水用空間部９を形成し、また、各外壁パネル１，１において、縦パネルフレーム４と外壁面材３との間は第２止水材としての防水シート８で止水されている。【選択図】      図１
2004353342.tif 000002
【特許請求の範囲】
【請求項１】
隣り合う左右の外壁パネル間部分において、その背後に建物躯体の柱が備えられると共に、各外壁パネルの側部の縦パネルフレームに上下方向に延びる止水兼用のスペーサーが設けられ、該スペーサーが縦パネルフレームと柱との間に止水状態となるように挟み込まれて縦パネルフレームと柱とを離間させ、スペーサー間に上下方向に延びる排水用空間部を形成しており、かつ、
各外壁パネルにおいて、前記縦パネルフレームと外壁面材との間が第２止水材で止水されていることを特徴とする外壁パネル間の縦目地部分の止水構造。
【請求項２】
前記各外壁パネルの外壁面材が複数枚の面材で構成され、前記第２止水材が防水シートからなり、該防水シートは、各外壁パネルに備えられ、外壁面材の背面側をカバーし、外壁面材と縦パネルフレームとの間を通じて前記スペーサーに止水状態に連結されている請求項１に記載の外壁パネル間の縦目地部分の止水構造。
【発明の詳細な説明】
【０００１】
【発明の属する技術分野】
本発明は、外壁パネル間の縦目地部分の止水構造に関する。
【０００２】
【従来の技術】
隣り合う左右の外壁パネル間部分の止水は、従来より、外壁パネルの建方を行った後に、隣り合う外壁パネルの外壁面材間を湿式にてシーリングしたり、外壁面材間に乾式のガスケットを嵌め込むことなどによって行われていた。
【０００３】
【発明が解決しようとする課題】
しかしながら、上記のような止水工法では、止水の施工を、外壁パネルの建方を行った後に早急に行っておかなければ建物内部に水が侵入してしまうため、現場での施工が厄介であるという問題があった。
【０００４】
本発明は、上記のような従来の問題点に鑑み、外壁パネルの建方を行えば、同時に左右の隣り合う外壁パネル間部分を止水状態にすることができて、現場での施工を容易にすることができる外壁パネル間の縦目地部分の止水構造を提供することを課題とする。
【０００５】
【課題を解決するための手段】
上記の課題は、隣り合う左右の外壁パネル間部分において、その背後に建物躯体の柱が備えられると共に、各外壁パネルの側部の縦パネルフレームに上下方向に延びる止水兼用のスペーサーが設けられ、該スペーサーが縦パネルフレームと柱との間に止水状態となるように挟み込まれて縦パネルフレームと柱とを離間させ、スペーサー間に上下方向に延びる排水用空間部を形成しており、かつ、
各外壁パネルにおいて、前記縦パネルフレームと外壁面材との間が第２止水材で止水されていることを特徴とする外壁パネル間の縦目地部分の止水構造によって解決される。
【０００６】
この止水構造では、隣り合う左右の各外壁パネルが、縦パネルフレームと外壁面材との間を第２止水材で止水したものからなっており、そして、外壁パネルの建方を行えば、同時に、各外壁パネルのスペーサーが背後の柱に止水状態に当接してスペーサー間に上下方向に延びる排水用空間部が形成されて、外壁パネル間部分が止水状態となり、そのため、外壁パネルの建方後に早急に外壁パネル間を止水する工事を行う必要がなくなり、現場での施工を容易にすることができる。
【０００７】
上記の止水構造において、各外壁パネルの外壁面材が複数枚の面材で構成され、前記第２止水材が防水シートからなり、該防水シートは、各外壁パネルに備えられ、外壁面材の背面側をカバーし、外壁面材と縦パネルフレームとの間を通じて前記スペーサーに止水状態に連結されているとよい。
【０００８】
この場合は、各外壁パネルの外壁面材を構成する面材間を通じて内部に侵入した水が屋内側に更に侵入していくのを防水シートで阻止することができ、しかも、この防水シートに外壁面材と縦パネルフレームとの間を止水する機能も併せもたせた構造であるので、外壁面材と縦パネルフレームとの間を簡素な構造で止水することができる。加えて、この防水シートは、外壁面材と縦パネルフレームとの間を通じて前記スペーサーに止水状態に直接連結されているので、外壁面材と縦パネルフレームとの間を通じた水の侵入を確実性高く阻止することができる。
【０００９】
【発明の実施の形態】
次に、本発明の実施形態を図面に基づいて説明する。
【００１０】
図１及び図２に示す実施形態の止水構造において、１，１は隣り合う左右の外壁パネル、２は建物躯体の柱であり、柱２は、屋外側の面部が閉じられた面からなる鋼材、例えば角形鋼管材などからなっている。
【００１１】
左右の外壁パネル１，１には、外壁パネル間部分において、外壁面材３の背面側に縦パネルフレーム４が備えられている。縦パネルフレーム４は、上下方向に延びる鋼材、例えば図示するようなアングル材からなっており、その一辺が外壁面材３と平行に向けられ、その辺の内面部に上下方向に延びる止水兼用のスペーサー５が取り付けられている。なお、スペーサー５は、例えば疎水性ウレタン発砲体などからなる。
【００１２】
一方、縦パネルフレーム４を構成するアングル材の他辺は、屋内方向に向けられ、該他辺には補助材６を介して面材保持金物７が取り付けられ、この面材保持金物７に外壁面材３の上下の縁部を保持させることで、外壁面材３が縦パネルフレーム４に保持されている。本実施形態では、外壁面材３は、詳しく図示しないけれども、複数枚の面材を上下方向に隣接状態に配列したものからなっていて、各面材の上下の縁部が面材保持金物７で保持された構造となっている。
【００１３】
また、各外壁パネル１の背面側には、図３に示すように、第２止水材としての防水シート８、例えば透湿防水シートが備えられ、該防水シート８は、外壁面材３の背面側をカバーし、外壁面材３を構成する面材間を通じて内部に侵入する水を止めるようになされていると共に、外壁面材３と縦パネルフレーム４との間を通じてスペーサー５に止水状態に連結されている。
【００１４】
そして、両外壁パネル１，１の建方を行うことにより、図２に示すように、各外壁パネル１，１の縦パネルフレーム４に備えられているスペーサー５が、背後の柱２の屋外側の面部に当接し、縦パネルフレーム４と柱２との間に止水状態となるように挟み込まれ、縦パネルフレーム４と柱２とが離間し、スペーサー５，５間に上下方向に延びる排水用空間部９が形成されるようになされている。
【００１５】
上記の構造では、隣り合う左右の各外壁パネル１，１が、縦パネルフレーム４と外壁面材３との間を防水シート８で止水したものからなっており、そして、左右の外壁パネル１，１の建方を行えば、同時に、各外壁パネル１，１のスペーサー５，５が背後の柱２に止水状態に当接してスペーサー５，５間に上下方向に延びる排水用空間部９が形成されて、外壁パネル１，１間部分が止水状態となり、そのため、外壁パネル１，１の建方後に早急に外壁パネル１，１間を止水する工事を行わなくてもよくなり、現場での施工を容易にすることができる。
【００１６】
しかも、各外壁パネル１，１において外壁面材３を構成する面材間を通じて内部に侵入した水が屋内側に更に侵入していくのを阻止する防水シート８が第２止水材として用いられ、この防水シート８に外壁面材３と縦パネルフレーム４との間を止水する機能も併せもたせた構造であるので、外壁面材３と縦パネルフレーム４との間を簡素な構造で止水することができる。加えて、この防水シート８は、外壁面材３と縦パネルフレーム４との間を通じてスペーサー５に止水状態に直接連結されているので、外壁面材３と縦パネルフレーム４との間を通じた水の侵入を確実性高く阻止することができる。
【００１７】
こうして外壁パネル１，１の建方を終えた後、必要に応じて、図４（イ）（ロ）に示すように、隣り合う外壁パネル１，１の外壁面材３，３間の縦目地内を湿式シーリング材１０で止水するのもよいし、乾式ガスケットで止水するのもよいし、オープンにしておくのもよいし、目地幅ゼロないしは目地幅ゼロ近似にするのもよい。１１は、湿式あるいは乾式のシーリングをする場合のバックアップ用の下地鋼板である。
【００１８】
以上に、本発明の実施形態を示したが、本発明はこれに限られるものではなく、発明思想を逸脱しない範囲で各種の変更が可能である。例えば、上記の実施形態では、外壁面材３の背面側をカバーし外壁面材３を構成する面材間を通じて内部に侵入する水を止める防水シート８を第２止水材として兼用して用いた場合を示したが、外壁面材３を一枚ものとし、そのような防水シートはなくし、あるいは防水シートとは別に、縦パネルフレーム４と外壁面材３との間を止水する止水材を外壁パネルに組み込み、その止水材で縦パネルフレーム４と外壁面材３との間を止水するようにしてもよい。また、外壁パネルに備えられる縦パネルフレームの形態に特別の制限はなく、各種形態の縦パネルフレームであってよく、柱２についても種々の形態の柱であってよい。また、外壁面材と縦パネルフレームとは金具を用いた接合のほか、ビス等で接合したものであってもよい。
【００１９】
【発明の効果】
本発明は、以上のとおりのものであるから、外壁パネルの建方を行えば、同時に左右の隣り合う外壁パネル間部分を止水状態にすることができて、現場での施工を容易にすることができる。
【図面の簡単な説明】
【図１】実施形態の止水構造を示すもので、柱と外壁パネルを分離状態にして示す平面断面図である。
【図２】外壁パネルの建方後における止水構造を示す平面断面図である。
【図３】外壁パネルの平面断面図である。
【図４】図（イ）（ロ）はそれぞれ、外壁面材間の立て目地部分を拡大して示す平面断面図である。
【符号の説明】
１…外壁パネル
２…柱
３…外壁面材
４…縦パネルフレーム
５…スペーサー
８…防水シート（第２止水材）
９…排水用空間部
【図１】
2004353342.tif 000003
【図２】
2004353342.tif 000004
【図３】
2004353342.tif 000005
【図４】
2004353342.tif 000006